(57)【特許請求の範囲】
【請求項１】
遊技者によって視認可能に配された複数の装飾体を互いに異なる位置に配し、該複数の装飾体を全て遊技者側から覆うように円環形状のレンチキュラーレンズを回転可能に配し、該レンチキュラーレンズを回転させることにより、該複数の装飾体に対する該レンチキュラーレンズの方向を該複数の装飾体を遊技者側から見て同時に変化させるようにして、且つ、
前記レンチキュラーレンズとは別体とされた可視光線に対して透明でない蓋により該レンチキュラーレンズを覆って、前記複数の装飾体が配される位置にそれぞれ対応して該蓋に複数の開口窓を形成したことを特徴とする遊技機。
【発明の詳細な説明】
【技術分野】
【０００１】
本発明は、遊技者が視認可能な位置に装飾体を備えた遊技機に係り、特に、従来にない新鮮な印象を遊技者に与えることができる、新規な構造の遊技機に関するものである。
【背景技術】
【０００２】
従来から、パチンコ機等の遊技機には、遊技者を楽しませる、或いは、遊技を盛り上げること等を目的として、各種の装飾体が配されており、例えば、遊技状況に応じて発光するＬＥＤ等が、それである。
【０００３】
しかしながら、遊技状況に応じて発光するＬＥＤの場合、発光態様が点灯と点滅の２種類しかないことから、かかるＬＥＤを用いた演出効果が単調になってしまい、遊技者を楽しませる、或いは、遊技を盛り上げるという点において十分でなかった。
【０００４】
そこで、特許文献１等に記載されているように、複数種の表示物を表示する表示板の前面側において、表示板に表示された複数種の表示物をそれぞれ異なる方向に写し出すレンチキュラーレンズを配設した遊技機が提案されている。
【０００５】
しかしながら、このような遊技機においては、レンチキュラーレンズによってそれぞれ異なる方向に写し出される表示板に表示された複数種の表示物をレンチキュラーレンズを動かした際に滑らかに連続して動くように見せようとすると、表示板において複数種の表示物をより細かく分割した状態で表示しておく必要があり、その作業が非常に面倒なものになってしまうという問題がある。
【０００６】
【特許文献１】特開２００２−２４８２３７号公報
【発明の開示】
【発明が解決しようとする課題】
【０００７】
ここにおいて、本発明は、上述の如き事情を背景として為されたものであり、その解決課題とするところは、レンチキュラーレンズを通して遊技者の目に映る装飾体を滑らかに連続して動くように見せることができる、新規な構造の遊技機を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することができる発明思想に基づいて認識されるものであることが理解されるべきである。
【０００９】
本発明の第一の態様は、遊技者によって視認可能に配された複数の装飾体を互いに異なる位置に配し、該複数の装飾体を全て遊技者側から覆うように円環形状のレンチキュラーレンズを回転可能に配し、該レンチキュラーレンズを回転させることにより、該複数の装飾体に対する該レンチキュラーレンズの方向を該複数の装飾体を遊技者側から見て同時に変化させるようにして、且つ、前記レンチキュラーレンズとは別体とされた可視光線に対して透明でない蓋により該レンチキュラーレンズを覆って、前記複数の装飾体が配される位置にそれぞれ対応して該蓋に複数の開口窓を形成したことを特徴とする遊技機。
ことを、特徴とする。
【００１０】
このような本態様に従う構造とされた遊技機においては、遊技者によって視認可能に配された装飾体を前方（遊技者側）から覆うようにしてレンチキュラーレンズが配されており、レンチキュラーレンズが回転せしめられることによって、装飾体に対するレンチキュラーレンズの方向が装飾体の前方において変化せしめられるようになっていることから、レンチキュラーレンズを通して遊技者の目に映る装飾体を、レンチキュラーレンズの回転方向に滑らかに連続して動くように見せることが可能となる。
【００１１】
すなわち、レンチキュラーレンズというのは、蒲鉾状の凸レンズを横一列に複数条連ねて形成したレンズであり、後方に配された装飾体を複数条の凸レンズが一列に並ぶ方向に引き延ばされたように見せる特性を備えている。なお、かかる特性は、複数条の凸レンズが一列に並ぶ方向において、レンチキュラーレンズの後方に配された装飾体が暈けて見えることに起因するものであり、このように複数条の凸レンズが一列に並ぶ方向においてレンチキュラーレンズの後方に配された装飾体が暈けて見えることで、レンチキュラーレンズの後方に配された装飾体が、恰も複数条の凸レンズが一列に並ぶ方向に引き延ばされたかの如く見えるのである。
【００１２】
それ故、レンチキュラーレンズが回転せしめられることによって装飾体に対する複数条の凸レンズが一列に並ぶ方向が装飾体の前方において変化せしめられると、複数条の凸レンズが一列に並ぶ方向に引き延ばされたかの如く見える装飾体が、動いているように見えるのである。
【００１３】
特に、レンチキュラーレンズが回転して、複数条の凸レンズが一列に並ぶ方向が変化すると、レンチキュラーレンズの後方に配された装飾体が引き延ばされて見える方向も変化することとなり、それによって、レンチキュラーレンズを通して装飾体をみた際に、かかるレンチキュラーレンズを構成する複数条の凸レンズが一列に並ぶ方向に引き延ばされてみえる装飾体が、恰も、その中央部分を通る一本の軸回りに回転しているかの如く見えるのである。
【００１４】
加えて、本態様においては、レンチキュラーレンズを通して遊技者の目に映る装飾体の動きが、レンチキュラーレンズの回転のみに起因していることから、レンチキュラーレンズを通して遊技者の目に映る装飾体が、滑らかに連続して動くように見せることが可能となる。
【００１５】
従って、本態様に係る遊技機においては、レンチキュラーレンズを回転させて装飾体に対するレンチキュラーレンズの方向を装飾体の前方で変化させるという極めて簡単な方法によって、レンチキュラーレンズを通じて遊技者の目に映る装飾体を滑らかに連続して動くように見せることが可能となる。
【００１６】
なお、本態様における装飾体というのは、遊技者に視認可能とされているものであれば、その形状や構造，色彩等は、特に限定されるものではなく、それ自身が光を発するものであっても良いし、或いは、それ自身が動くものであっても良い。また、本態様におけるレンチキュラーレンズの方向とは、レンチキュラーレンズを構成する複数条の凸レンズが横一列に並ぶ方向をいうものとする。更に、本態様におけるレンチキュラーレンズの回転は、装飾体に対するレンチキュラーレンズの方向を変化させるものであれば、その回転範囲や回転の態様等は、特に限定されるものではない。例えば、回転範囲は３６０度より大きくても良いし、３６０度より小さくても良い。また、回転のみならず、例えば、回転しながら直線乃至は曲線上を動くようにしても良い。更に、一方向のみに回転するだけでなく、他方向にも回転するようにしても良い。更にまた、本態様におけるレンチキュラーレンズは、それ自体のみが回転せしめられるようになっていても良いし、或いは、他の部材に取り付けられて他の部材が回転せしめられることで回転せしめられるようになっていても良い。また、本態様においてレンチキュラーレンズと装飾体との離隔距離は、レンチキュラーレンズを通して遊技者の目に映る装飾体の形をどのようにするかということに基づいて適宜設定変更されるものであり、常に一定であっても良いし、変更可能であっても良い。
【００１７】
本発明の第二の態様は、前記第一の態様に係る遊技機において、前記レンチキュラーレンズを回転せしめる駆動手段を備えていることを、特徴とする。このような本態様に従う構造とされた遊技機においては、駆動手段によってレンチキュラーレンズが回転せしめられるようになっていることから、レンチキュラーレンズを積極的に回転せしめることが可能となる。これにより、例えば、遊技状況に応じてレンチキュラーレンズを回転させることが可能となり、その結果、レンチキュラーレンズを通じて遊技者の目に映る装飾体の形や動き等を利用して遊技を盛り上げて遊技者を楽しませることが可能となる。
【００１８】
本発明の第三の態様は、前記第一又は第二の態様に係る遊技機において、前記レンチキュラーレンズと前記装飾体の離隔距離を変更せしめる離隔距離変更手段を備えていることを、特徴とする。このような本態様に係る遊技機においては、離隔距離変更手段によってレンチキュラーレンズと装飾体の離隔距離が変更せしめられるようになっていることから、レンチキュラーレンズを通じて遊技者の目に映る装飾体におけるレンチキュラーレンズの方向の長さ寸法、即ち、レンチキュラーレンズの方向に延びる割合を変化させることが可能となる。
【００１９】
なお、このようにレンチキュラーレンズと装飾体の離隔距離が変更されることに起因してレンチキュラーレンズを通して遊技者の目に映る装飾体におけるレンチキュラーレンズの方向に延びる割合が変化するという現象は、レンチキュラーレンズと装飾体の離隔距離が大きくなるに従って、レンチキュラーレンズの後方に配された装飾体が暈けて見えやすくなることに起因するものである。
【００２０】
本発明の第四の態様は、前記第一乃至第三の何れかの態様に係る遊技機において、前記レンチキュラーレンズを複数枚採用すると共に、それら複数枚のレンチキュラーレンズを通して前記装飾体が遊技者に視認されるようになっていることを、特徴とする。このような本態様に従う構造とされた遊技機においては、複数枚のレンチキュラーレンズを通して装飾体が遊技者に視認されるようになっていることから、各レンチキュラーレンズの方向を適当に設定することによって、複数枚のレンチキュラーレンズを通して遊技者の目に映る装飾体のバリエーションを増やすことが可能となる。
【００２１】
すなわち、前述の如く、レンチキュラーレンズを通して遊技者の目に映る装飾体というのは、レンチキュラーレンズの方向に引き延ばされて見えるようになっていることから、例えば、複数枚のレンチキュラーレンズの方向が互いに異なっていると、複数枚のレンチキュラーレンズを通して遊技者の目に映る装飾体が複数の方向に引き延ばされて見えるようになり、それによって、複数枚のレンチキュラーレンズを通して遊技者の目に映る装飾体の形のバリエーションを増やすことが可能となるのである。また、複数枚のレンチキュラーレンズを通して遊技者の目に映る装飾体の形が変化することに対して、例えば、大当たり遊技状態が発生するかもしれないことを遊技者に報知する大当たり予告等のように、何等かの意味をもたせておくことにより、複数枚のレンチキュラーレンズを通して遊技者の目に映る装飾体の形の変化に対して遊技者の興味を惹きつけることが可能となる。
【００２２】
なお、本態様において、「レンチキュラーレンズを複数枚採用する」というのは、複数枚のレンチキュラーレンズを通して装飾体を見せるためであって、例えば、複数枚のレンチキュラーレンズを一つの平面上で互いに異なる位置に配するためではない。
【００２３】
本発明の第五の態様は、前記第四の態様に係る遊技機において、前記複数枚のレンチキュラーレンズの少なくとも二枚を相対的に回転せしめる相対回転手段を備えていることを、特徴とする。このような本態様に従う構造とされた遊技機においては、相対回転手段によって少なくとも二枚のレンチキュラーレンズが相対的に回転せしめられるようになっていることから、複数枚のレンチキュラーレンズを通じて遊技者の目に映る装飾体は、その形が変化しながら動くこととなり、それによって、遊技者に新鮮な印象を与えることが可能となる。
【００２４】
本発明の第六の態様は、前記第四又は第五の態様に係る遊技機において、前記複数枚のレンチキュラーレンズを一体的に回転せしめる一体回転手段を備えていることを、特徴とする。このような本態様に従う構造とされた遊技機においては、一体回転手段によって複数枚のレンチキュラーレンズが一体的に回転せしめられるようになっていることから、複数枚のレンチキュラーレンズを通して遊技者の目に映る装飾体は、その形が一定のまま動くこととなり、それによって、例えば、複数枚のレンチキュラーレンズを通して遊技者の目に映る装飾体の形が変化することに対して、大当たり予告等の何等かの意味をもたせておくことにより、どのような形で装飾体が動くかということに対して遊技者の興味を惹きつけることが可能となる。
【００２５】
本発明の第七の態様は、前記第四又は第五の態様に係る遊技機において、前記複数枚のレンチキュラーレンズを別々に駆動せしめる個別駆動手段を備えていることを、特徴とする。このような本態様に従う構造とされた遊技機においては、個別駆動手段によって複数枚のレンチキュラーレンズが別々に駆動せしめられるようになっていることから、複数枚のレンチキュラーレンズの駆動態様のバリエーションを増やすことが可能となる。
【００２６】
本発明の第八の態様は、前記第一乃至第七の態様に係る遊技機において、前記装飾体が発光源を含んで構成されていることを、特徴とする。このような本態様に従う構造とされた遊技機においては、レンチキュラーレンズを通して遊技者の目に映る発光源の発する光が、レンチキュラーレンズの方向に引き延ばされたように見えるようになっており、しかも、レンチキュラーレンズの方向に引き延ばされたように見える発光源の発する光が滑らかに連続して動くように見えることから、発光源の発する光の見え方やその動き等に対して遊技者の興味を惹きつけることが可能となる。
【００２７】
すなわち、発光源の発する光の見え方というのは、発光源の形状等によって予め決まってしまうものであり、それ故、発光源の発する光の見え方を変更しようとすると、例えば、発光源の前方にスリットが形成された光通過部材を設けて、かかる光通過部材に形成されたスリットを通して発光源の発する光を見せるようにする方法が考えられるが、このような方法では、変更後における発光源が発する光の見え方に斬新さがない。しかしながら、本態様に従えば、レンチキュラーレンズの後方に配された発光源の発する光が、レンチキュラーレンズを構成する複数条の凸レンズが一列に並ぶ方向に暈けて、かかる方向に引き延ばされたかの如く見えるという原理を巧く利用して、発光源の発する光の見え方を変更するようになっているのであり、その結果、変更後における発光源の発する光の見え方が従来にない斬新なものとなり、遊技者の興味を発光源の発する光の見え方に対して惹きつけることが可能となる。
【００２８】
また、このようにレンチキュラーレンズの方向に引き延ばされて見える発光源の発する光が、レンチキュラーレンズの回転に基づいて滑らかに連続して動くように見えることから、発光源への給電線等の関係から発光源自体を動かしたくても動かせない等といった問題を解消することが可能となり、それによって、発光源の発する光を用いた演出等のバリエーションを増やすことが可能となる。それ故、本態様においては、発光源の発する光を用いた演出が単調になることを有利に回避することが可能となり、それによって、発光源の発する光を用いた演出であっても、遊技者を十分に楽しませることが可能となる。
【００２９】
また、遊技機の意匠を高める等の観点から、発光源の発する光というのは、従来、発光源の前方に配されたカバーを介して遊技者に認識されることが多く、それ故、発光源に対する遊技者の意識というのは、かかる発光源が発する光によって発現される文字情報が遊技者の興味や意識を惹きつける場合は格別、そうでなければ、光を発しているか否かという点にのみ注がれているといっても過言ではない。しかしながら、本態様に係る遊技機においては、このような遊技者の発光源に対する意識を根底から覆すことが可能となり、それによって、遊技者の興味を発光源、延いては、発光源が発する光に対して十分に惹きつけることが可能となる。
【００３０】
そこにおいて、本態様は、前記第四の態様と組み合わせて採用することが望ましく、それによって、発光源が発する光の見え方のバリエーションを増やすことが可能となり、その結果、発光源の発する光を利用した演出で遊技をより一層盛り上げることが可能となる。
【００３１】
なお、本態様において、発光源の発する光の明るさは、一定であっても良いし、変化しても良い。また、本態様において、発光源の発光態様は、点灯であっても良いし、点滅であっても良い。更に、本態様において、発光源の発する光の色は、一定であっても良いし、変更可能であっても良い。
【００３２】
本発明の第九の態様は、前記第八の態様に係る遊技機において、前記発光源を複数採用して、前記レンチキュラーレンズの方向をそれら発光源の前方で変化させることにより、少なくとも二つの該発光源の光が前記遊技者において重なって見えるようにしたことを、特徴とする。このような本態様に従う構造とされた遊技機においては、複数の発光源の前方においてレンチキュラーレンズの方向を変化させることにより、少なくとも二つの発光源の光が遊技者において重なって見えるようになっていることから、例えば、少なくとも二つの発光源のそれぞれが発する光の色を互いに異ならせておくことによって、それらの発光源のそれぞれが発する光の色を遊技者において重なって見える部分で混ぜ合わせることが可能となり、それによって、発光源の発する光の見え方のバリエーションを増やすことが可能となる。
【００３３】
本発明の第十の態様は、前記第一乃至第九の何れかの態様に係る遊技機において、前記レンチキュラーレンズを保護する保護手段を備えていることを、特徴とする。このような本態様に従う構造とされた遊技機においては、保護手段によってレンチキュラーレンズが保護されるようになっていることから、レンチキュラーレンズに傷がつくことを有利に回避することが可能となる。
【発明の効果】
【００３４】
上述の説明から明らかなように、本発明に従う構造とされた遊技機においては、レンチキュラーレンズが回転せしめられることによって、装飾体に対するレンチキュラーレンズの方向が装飾体の前方で変化せしめられるようになっていることから、レンチキュラーレンズを通じて遊技者の目に映る装飾体を、レンチキュラーレンズの方向に引き延ばされて見える状態で、滑らかに連続して動くように見せることが可能となる。
【発明を実施するための最良の形態】
【００３５】
以下、本発明を更に具体的に明らかにするために、本発明の実施形態について、図面を参照しつつ、詳細に説明する。
【００３６】
図１には、本発明の第一の実施形態としてのパチンコ遊技機１０（以下、パチンコ機１０と称する）が示されている。このパチンコ機１０は、設置場所たる遊技ホールの台島に固定される外枠１２と、この外枠１２に一側を保持され且つ外枠１２に対して開閉自在に取り付けられた中枠１４を備えている。中枠１４の前面には、中枠１４に取り付けられた遊技盤１６を透視保護するためのガラス板を備えた窓枠１８と、上皿２０を備えた皿板２２が、それぞれ、開閉自在に取り付けられており、窓枠１８が備えているガラス板を通じて遊技盤１６に形成された遊技領域３２が視認可能とされている。また、上皿２０の下方には、下皿２４が設けられており、かかる下皿２４の右方には、発射ハンドル２６が突設されている。そして、発射ハンドル２６に対して回動操作可能に取り付けられた発射レバー２８を遊技者が回動操作することによって、上皿２０に貯留されていた遊技球が球送り機構（図示せず）を介して発射装置（図示せず）に送られた後、遊技盤１６に形成された遊技領域３２に向けて発射されるようになっている。
【００３７】
この遊技盤１６は、表面に合成樹脂性のシートが被着された遊技板を備えており、かかる遊技盤１６の表面側に固定されたガイドレール３０によって囲まれた略円形の遊技領域３２には、液晶表示器３４やセンター飾り３６，始動入賞装置３８，特別可変入賞装置４０等の各種構造物，遊技領域３２を流下せしめられる遊技球の流下方向を変化せしめるための遊技釘（図示せず）や風車４４等が設けられている。
【００３８】
そして、遊技領域３２に向けて発射された後、遊技釘や風車４４等に当たりながら遊技領域３２を流下せしめられる遊技球が始動入賞装置３８に入賞すると、液晶表示器３４の表示画面において複数の特別図柄（図示せず）の変動表示が開始されて、それら複数の特別図柄の変動表示が所定時間行われる。その後、複数の特別図柄が特定の停止表示態様で停止表示されると、大当たり遊技状態が発生し、通常の遊技状態では特別可変入賞装置４０の入口を塞いでいる扉４６が所定の作動条件に従って開閉作動せしめられるようになっている。これにより、特別可変入賞装置４０の入口が解放されて、特別可変入賞装置４０への遊技球の入賞が可能となり、その結果、遊技者は通常の遊技状態では得ることができない利益（賞球）を得ることが可能となる。このことから明らかなように、本実施形態では、パチンコ機１０は、所謂第１種パチンコ機である。
【００３９】
そこにおいて、本実施形態のパチンコ機１０に採用されているセンター飾り３６は、図２乃至図４に示されているように、全体として、中心孔４８を備えた枠体５０に対して取付板５２が一体形成された構造とされており、遊技板に形成された挿通孔（図示せず）に枠体５０が挿通された状態で取付板５２において遊技板に固定されるようになっている。そして、このようにセンター飾り３６が遊技板に固定された状態下において、センター飾り３６の奥側に配された液晶表示器３４の表示画面が中心孔４８を通じて遊技者に視認可能とされている。
【００４０】
また、枠体５０の軸方向一方の端面には、全周に亘って略一定の断面で延びる凹溝５４が形成されており、かかる凹溝５４内には、回転体５６が収容位置せしめられている。この回転体５６は、透明な合成樹脂材によって形成されており、全体として厚肉の円環板形状とされていると共に、その外周面には係止歯５８が形成されている。
【００４１】
このような構造とされた回転体５６は、凹溝５４の底面と、凹溝５４の開口部を塞ぐようにして枠体５０に固定される蓋６０とによって支持された複数本（本実施形態では、３本）の軸６２に対してそれぞれ挿通配置されたローラ６４に当接した状態で、凹溝５４内に収容位置せしめられており、それによって、回転体５６が凹溝５４内において凹溝５４の周方向に沿って回転可能とされている。なお、本実施形態では、蓋６０は、可視光線に対して透明でない合成樹脂材によって形成されている。
【００４２】
このように回転体５６が収容位置せしめられた凹溝５４における外側の側壁６６には、周上の１箇所において外側に突出せしめられており、かかる外側に突出せしめられた部分によって収容部６８が形成されている。かかる収容部６８内には、センター飾り３６に固定される駆動源としての駆動モータ７０の出力軸７２に固設された出力ピニオン７４が位置せしめられている。そして、回転体５６の外周面に形成された係止歯５８に対して出力ピニオン７４が噛合されるようになっており、それによって、駆動モータ７０に電源が供給されて、駆動モータ７０の出力軸７２が一方向に回転せしめられると、出力軸７２の回転方向とは反対の方向に回転体５６が回転せしめられるようになっている。なお、本実施形態では、駆動モータ７０は、従来から公知のステッピングモータによって構成されている。
【００４３】
また、凹溝５４の底面には、周上の適数箇所（本実施形態では、３箇所）において収容穴７６が形成されており、かかる収容穴７６内には、センター飾り３６に固定される基板７８に実装された発光源としてのＬＥＤ８０が位置せしめられている。そこにおいて、本実施形態では、ＬＥＤ８０を正面から見た場合において、ＬＥＤ８０が発する光は、丸い点状とされている。また、本実施形態では、収容穴７６の深さ寸法は、かかる収容穴７６内に位置せしめられたＬＥＤ８０が凹溝５４の底面から突出しない程度の大きさとされており、それによって、ＬＥＤ８０と回転体５６との接触が回避されるようになっている。
【００４４】
更にまた、蓋６０には、凹溝５４において収容穴７６が形成された位置と対応する位置に対して、開口窓８２が形成されている。なお、このように蓋６０に形成された開口窓８２を覆蓋するようにして、透明な合成樹脂材によって形成された保護シート８４が、蓋６０に対して固着されている。
【００４５】
そこにおいて、本実施形態では、回転体５６の一方の面に対してレンチキュラーレンズ８６が貼付されている。このレンチキュラーレンズ８６は、従来から公知のものであるが、簡単に説明すると、図５に示されているように、蒲鉾状の凸レンズ８８を横一列に複数条連ねて形成したものであり、全体として、シート形状とされている。なお、レンチキュラーレンズ８６は、透明な合成樹脂材（ＰＥＴやアクリル樹脂等）によって形成されている。
【００４６】
このような構造とされたレンチキュラーレンズ８６は、回転体５６の一方の面の全体に貼付されており、それによって、ＬＥＤ８０の発する光がレンチキュラーレンズ８６を通して開口窓８２から視認できるようになっている。そこにおいて、レンチキュラーレンズ８６を通して各開口窓８２から視認できるＬＥＤ８０の発する光というのは、互いに同じとされていることから、一つの開口窓８２から見たＬＥＤ８０の発する光の見え方のみを説明することにする。
【００４７】
すなわち、レンチキュラーレンズ８６を通して遊技者の目に映るＬＥＤ８０の発する光８９というのは、図６に示されているように、レンチキュラーレンズ８６の方向、即ち、レンチキュラーレンズ８６を構成する複数状の凸レンズ８８が一列に並ぶ方向に延びて見えるのであり、その結果、ＬＥＤ８０における発光部分が棒状とされているかの如き印象を遊技者に与えるようになっている。なお、レンチキュラーレンズ８６を通して遊技者の目に映るＬＥＤ８０の発する光がレンチキュラーレンズ８６の方向に延びて見えるという現象は、レンチキュラーレンズ８６を構成する複数状の凸レンズ８８が一列に並ぶ方向において、レンチキュラーレンズ８６の後方にあるＬＥＤ８０が暈けて見えるようになっている一方、レンチキュラーレンズ８６を構成する各凸レンズ８８が延びる方向において、レンチキュラーレンズ８６の後方にあるＬＥＤ８０が暈けないでそのまま見えるようになっていることに起因するものであり、それによって、ＬＥＤ８０の発する光が、本来は丸い点状であったにも拘わらず、レンチキュラーレンズ８６の方向に延びる帯状に見えるのである。
【００４８】
また、ＬＥＤ８０の大きさ，ＬＥＤ８０とレンチキュラーレンズ８６との離隔距離，ＬＥＤ８０と開口窓８２の離隔距離および開口窓８２の大きさ等を適当に調節することによって、レンチキュラーレンズ８６を通して遊技者の目に映るＬＥＤ８０が発する光の両端が遊技者によって視認できる、即ち、丸い点状から帯状に見え方が変化せしめられたＬＥＤ８０の発する光が開口窓８２を横断しておらず、帯状に見えるＬＥＤ８０の発する光の全てが開口窓８２を通して見えるようにすることも可能である。因みに、本実施形態では、帯状に見えるＬＥＤ８０の発する光は、その全体が開口窓８２を通して見えるようになっている。
【００４９】
そして、駆動モータ７０に電源が供給されて、回転体５６が回転せしめられると、ＬＥＤ８０の前方において、ＬＥＤ８０に対するレンチキュラーレンズ８６の方向（レンチキュラーレンズ８６を構成する複数状の凸レンズ８８が一列に並ぶ方向）が変化するようになっており、それによって、丸い点状から帯状に見え方が変化せしめられたＬＥＤ８０の発する光が、その長手方向中央部分を中心として滑らかに連続して回転するかの如く見えるようになっている。
【００５０】
そこにおいて、本実施形態では、回転体５６は、例えば、液晶表示器３４における表示画面において複数の特別図柄が特定表示態様で停止表示される可能性が高い状態（リーチ状態）である場合や、大当たり遊技状態が発生している場合等において、回転せしめられるようになっている。
【００５１】
上述の説明から明らかなように、本実施形態では、ＬＥＤ８０によって装飾体が構成されている。また、本実施形態では、駆動モータ７０，駆動モータ７０の出力軸７２に固定された出力ピニオン７４，回転体５６の外周面に形成された係止歯５８を含んで駆動手段が構成されている。更にまた、本実施形態では、レンチキュラーレンズ８６が固着された回転体５６を凹溝５４内に収容位置せしめ、かかる凹溝５４の開口部を蓋６０によって覆蓋することで、回転体５６に固着されたレンチキュラーレンズ８６の保護手段が構成されている。
【００５２】
このような構造のセンター飾り３６を備えたパチンコ機１０においては、駆動モータ７０によって回転体５６が回転せしめられることに起因して回転体５６に固着されたレンチキュラーレンズ８６が回転し、それによって、ＬＥＤ８０の前方において回転体５６に固着されたレンチキュラーレンズ８６の方向が変化せしめられるようになっていることから、レンチキュラーレンズ８６を通して帯状に見えるＬＥＤ８０の発する光が、その長手方向中央部分を中心として回転するように見せることが可能となる。
【００５３】
特に、本実施形態では、帯状に見えるＬＥＤ８０の発する光の回転が回転体５６の回転のみに起因していることから、帯状に見えるＬＥＤ８０の発する光が滑らかに連続して回転するように見せることが可能となる。
【００５４】
また、本実施形態では、回転体５６が、例えば、液晶表示器３４における表示画面において複数の特別図柄が特定表示態様で停止表示される可能性がが高い状態（リーチ状態）である場合や、大当たり遊技状態が発生している場合等において、回転せしめられるようになっていることから、帯状に見えるＬＥＤ８０の発する光、或いは、このように帯状に見えるＬＥＤ８０の発する光の動きに対して、遊技者の興味を惹きつけることが可能となり、それによって、遊技を盛り上げて遊技者を楽しませることが可能となる。
【００５５】
更にまた、本実施形態では、駆動モータ７０は、回転体５６の中心よりも上方に位置せしめられていることから、駆動モータ７０の出力軸７２に対して回転体５６の重量が直接入力されないようになっており、それによって、駆動モータ７０の耐久性を確保することが可能となり、その結果、回転体５６の回転作動を長期間に亘って安定させることが可能となる。
【００５６】
さらに、ＬＥＤ８０を点滅制御する場合には、ＬＥＤ８０が消灯している時間と回転体５６の回動速度を適当に調節することによって、ＬＥＤ８０の発する光が、例えば、パチンコ機の上下方向に延びた状態から左右方向に延びた状態に突然変化せしめられたかの如き印象を遊技者に与えることが可能となり、それによって、ＬＥＤ８０の発光を利用した演出のバリエーションを一層増やすことが可能となる。更にまた、ＬＥＤ８０が発する光の色を変化させるようにしても良い。
【００５７】
また、図７および図８には、本発明の第二の実施形態のパチンコ機に採用されるセンター飾り９０が示されている。なお、本実施形態のパチンコ機は、第一の実施形態のパチンコ機に比して、センター飾り９０のみが異なっていることから、センター飾り９０についてのみ説明することとし、それ以外の部材および部位については、第一の実施形態と同一の符号を付すことにより、それらの詳細な説明を省略する。
【００５８】
より詳細には、本実施形態のセンター飾り９０は、第一の実施形態に採用されているセンター飾り（３６）に比して、保護シート（８４）の変わりにレンチキュラーレンズ９２が採用されており、かかるレンチキュラーレンズ９２によって開口窓８２が覆蓋された構造とされている。なお、レンチキュラーレンズ９２は、第一の実施形態と同様な構造のものが採用されていることから、その詳細な説明は省略する。また、開口窓８２を覆蓋するようにして蓋６０に固着されたレンチキュラーレンズ９２は、何れも、レンチキュラーレンズ９２を構成する複数状の凸レンズ８８がパチンコ機の上下方向（図７中の上下方向）において一列に並んでいる。更にまた、本実施形態のセンター飾り９０は、遊技領域３２に取り付けられた状態下において、レンチキュラーレンズ９２と窓枠１８に保持されたガラス板との離隔距離が遊技球の直径よりも十分に小さくされており、それによって、遊技領域３２を流下せしめられる遊技球が蓋６０に固着されたレンチキュラーレンズ９２に接触することが有利に回避されるようになっている。
【００５９】
このような構造とされたセンター飾り９０においては、ＬＥＤ８０の発する光は、回転体５６に固定されたレンチキュラーレンズ８６（以下、奥側レンチキュラーレンズ８６と称する）と、蓋６０に形成された開口窓８２を覆うように固着されたレンチキュラーレンズ９２（以下、手前側レンチキュラーレンズ９２と称する。）を通して遊技者の目に映るようになっている。また、本実施形態では、回転体５６が駆動モータ７０によって回転せしめられるようになっていることから、奥側レンチキュラーレンズ８６の方向（奥側レンチキュラーレンズ８６を構成する複数条の凸レンズ８８が一列に並ぶ方向）と、手前側レンチキュラーレンズ９２の方向（手前側レンチキュラーレンズ９２を構成する複数状の凸レンズ８８が一列に並ぶ方向）が、回転体５６の回転に伴って、一致したり一致しなかったりすることとなる。
【００６０】
そこで、奥側レンチキュラーレンズ８６の方向と手前側レンチキュラーレンズ９２の方向との関係を示しながら、回転体５６が回転することによって、奥側レンチキュラーレンズ８６と手前側レンチキュラーレンズ９２を通して見えるＬＥＤ８０の発する光がどのように変化していくかを、以下に説明する。なお、本実施形態では、手前側レンチキュラーレンズ９２は、その方向が互いに同じとなるようにして、それぞれ、蓋６０に固定されていることから、奥側レンチキュラーレンズ８６と何れか一つの手前側レンチキュラーレンズ９２によって生ぜしめられるＬＥＤ８０の発する光の見え方の変化のみを説明することにする。
【００６１】
先ず、手前側レンチキュラーレンズ９２の方向と奥側レンチキュラーレンズ８６の方向が同じ場合、手前側レンチキュラーレンズ９２および奥側レンチキュラーレンズ８６を通して遊技者の目に映るＬＥＤ８０の発する光９３は、図９に示されているように、手前側レンチキュラーレンズ９２の方向および奥側レンチキュラーレンズ８６の方向に延びる帯状とされている。そこにおいて、ＬＥＤ８０の発する光は、奥側レンチキュラーレンズ８６の方向に引き延ばされた後、更に、手前側レンチキュラーレンズ９２の方向に引き延ばされてから、遊技者の目に映るようになっており、その結果、手前側および奥側のレンチキュラーレンズ９２，８６を通して遊技者の目に映るＬＥＤ８０が発する光９３は、奥側レンチキュラーレンズ８６のみを通して遊技者の目に映るＬＥＤ８０が発する光よりも引き延ばされて見えるようになっている。
【００６２】
このようにＬＥＤ８０の発する光が帯状に見える状態から回転体５６が周方向一方向（本実施形態では、図７における時計回りの方向）に回転せしめられると、手前側および奥側のレンチキュラーレンズ９２，８６を通して遊技者の目に映るＬＥＤ８０の発する光は、図１０乃至図１２に示されているように、平行四辺形のように見える。そして、手前側レンチキュラーレンズ９２の方向と奥側レンチキュラーレンズ８６の方向が直交するようになると、手前側および奥側のレンチキュラーレンズ９２，８６を通して遊技者の目に映るＬＥＤ８０の発する光９３は、図１３に示されているように、パチンコ機の上下方向に長い縦長の長方形となる。
【００６３】
因みに、図１０は、奥側レンチキュラーレンズ８６の方向が手前側レンチキュラーレンズ９２の方向に対して右側に３０度傾斜した状態下において、手前側および奥側のレンチキュラーレンズ９２，８６を通して遊技者の目に映るＬＥＤ８０の発する光の形（見え方）が示されており、図１１は、奥側レンチキュラーレンズ８６の方向が手前側レンチキュラーレンズ９２の方向に対して右側に４５度傾斜した状態下において、手前側および奥側のレンチキュラーレンズ８６，９２を通して遊技者の目に映るＬＥＤ８０の発する光の形（見え方）が示されており、図１２は、奥側レンチキュラーレンズ８６の方向が手前側レンチキュラーレンズ９２の方向に対して右側に６０度傾斜した状態下において、手前側および奥側のレンチキュラーレンズ９２，８６を通して遊技者の目に映るＬＥＤ８０の発する光９３の形（見え方）が示されている。
【００６４】
そこにおいて、このように手前側および奥側のレンチキュラーレンズ９２，８６を通して遊技者の目に映る光９３が帯状から平行四辺形を経て縦長の長方形へと見え方が変化していく現象は、奥側レンチキュラーレンズ８６が回転せしめられることによって、奥側レンチキュラーレンズ８６の方向と手前側レンチキュラーレンズ９２の方向が一致している状態から直交する状態に変化していくことに起因するものである。
【００６５】
すなわち、奥側のレンチキュラーレンズ８６のみを通した場合だと、ＬＥＤ８０の発する光は、奥側レンチキュラーレンズ８６が回転することによって、パチンコ機の上下方向に対して傾斜した方向に延びる帯状に見えるのであるが、このように傾斜した帯状に見えるＬＥＤ８０の発する光が、奥側レンチキュラーレンズ８６よりも遊技者側に手前側レンチキュラーレンズ９２が配されていることにより、手前側レンチキュラーレンズ９２の方向に引き延ばされてから遊技者の目に映ることとなり、その結果、手前側レンチキュラーレンズ９２の方向に対して奥側レンチキュラーレンズ８６の方向が傾斜している場合には、手前側レンチキュラーレンズ９２と奥側レンチキュラーレンズ８６を通して遊技者の目に映るＬＥＤ８０の発する光９３の形は平行四辺形に見えるのであり、手前側レンチキュラーレンズ９２の方向と奥側レンチキュラーレンズ８６の方向が直交する場合には、手前側レンチキュラーレンズ９２と奥側レンチキュラーレンズ８６を通して遊技者の目に映るＬＥＤ８０の発する光９３は、パチンコ機の上下方向に長い縦長の長方形に見えるのである。
【００６６】
なお、本実施形態において、手前側レンチキュラーレンズ９２の方向と奥側レンチキュラーレンズ８６の方向が直交する場合に、手前側レンチキュラーレンズ９２と奥側レンチキュラーレンズ８６を通して遊技者の目に映るＬＥＤ８０の発する光９３の形（見え方）が縦長の長方形となっているのは、手前側レンチキュラーレンズ９２の方向がパチンコ機の上下方向となっていると共に、手前側レンチキュラーレンズ９２と奥側レンチキュラーレンズ８６が離隔位置せしめられていることによるものであり、例えば、手前側レンチキュラーレンズ９２と奥側レンチキュラーレンズ８６が密着せしめられている場合には手前側レンチキュラーレンズ９２と奥側レンチキュラーレンズ８６を通して遊技者の目に映るＬＥＤ８０の発する光は略正方形に見えるのであり、手前側レンチキュラーレンズ９２の方向がパチンコ機の左右方向となっている場合には手前側レンチキュラーレンズ９２と奥側レンチキュラーレンズ８６を通して遊技者の目に映るＬＥＤ８０の発する光９３は、パチンコ機の左右方向に長い横長の長方形状に見えるのである。
【００６７】
そして、手前側レンチキュラーレンズ９２の方向と奥側レンチキュラーレンズ８６の方向が直交する状態から奥側レンチキュラーレンズ８６が同じ方向に更に回転せしめられると、手前側および奥側のレンチキュラーレンズ９２，８６を通して遊技者の目に映るＬＥＤ８０の発する光は、図１４乃至図１６に示されているように、平行四辺形のように見えるのである。そして、手前側レンチキュラーレンズ９２の方向と奥側レンチキュラーレンズ８６の方向が一致すると、手前側および奥側のレンチキュラーレンズ９２，８６を通して遊技者の目に映るＬＥＤ８０の発する光は、図９に示されているように、再びパチンコ機の上下方向に延びた帯状に見える。
【００６８】
因みに、図１４は、奥側レンチキュラーレンズ８６の方向が手前側レンチキュラーレンズ９２の方向に対して右側に１２０度（鋭角側では６０度）傾斜した状態下において、手前側および奥側のレンチキュラーレンズ９２，８６を通して遊技者の目に映るＬＥＤ８０の発する光９３の形（見え方）が示されており、図１５は、奥側レンチキュラーレンズ８６の方向が手前側レンチキュラーレンズ９２の方向に対して右側に１３５度（鋭角側では４５度）傾斜した状態下において、手前側および奥側のレンチキュラーレンズ８６，９２を通して遊技者の目に映るＬＥＤ８０の発する光９３の形（見え方）が示されており、図１６は、奥側レンチキュラーレンズ８６の方向が手前側レンチキュラーレンズ９２の方向に対して右側に１５０度（鋭角側では３０度）傾斜した状態下において、手前側および奥側のレンチキュラーレンズ９２，８６を通して遊技者の目に映るＬＥＤ８０の発する光９３の形（見え方）が示されている。
【００６９】
なお、このようにして、手前側および奥側のレンチキュラーレンズ９２，８６を通して遊技者の目に映る光がパチンコ機の上下方向に長い縦長の長方形から平行四辺形を経て帯状に変化していくように見える現象は、手前側および奥側のレンチキュラーレンズ９２，８６を通して遊技者の目に映る光が帯状から平行四辺形を経てパチンコ機の上下方向に長い縦長の長方形に変化していくように見える現象と同様に、奥側レンチキュラーレンズ８６が回転せしめられることによって、奥側レンチキュラーレンズ８６の方向と手前側レンチキュラーレンズ９２の方向が直交している状態から一致する状態に変化することに起因するものである。
【００７０】
そして、本実施形態では、手前側および奥側レンチキュラーレンズ９２，８６を通して遊技者の目に映るＬＥＤ８０の発する光９３の形（見え方）が変化する様は、上述の如く、奥側レンチキュラーレンズ８６が１８０度回転して、手前側および奥側レンチキュラーレンズ９２，８６を通して遊技者の目に映るＬＥＤ８０の発する光９３の形（見え方）が、帯状から平行四辺形を経てパチンコ機の上下方向に長い縦長の長方形となり、更に、平行四辺形を経て再び帯状となることで、１サイクルとされている。従って、奥側レンチキュラーレンズ８６が１８０度回転した状態から更に１８０度回転した場合の手前側および奥側レンチキュラーレンズ９２，８６を通して遊技者の目に映るＬＥＤ８０の発する光９３の形（見え方）が変化する様は、図１１乃至図１８に示されたものと同じであることから、それらの詳細な説明は省略する。
【００７１】
また、回転体５６の回転速度は、特に限定されるものではないが、手前側および奥側レンチキュラーレンズ９２，８６を通して遊技者の目に映るＬＥＤ８０の発する光９３の形が変化する様を、遊技者が視認できる程度であれば良い。更にまた、手前側および奥側レンチキュラーレンズ９２，８６を通って遊技者の目に映るＬＥＤ８０の発する光９３の形（見え方）は、ＬＥＤ８０の大きさ，ＬＥＤ８０の形状，ＬＥＤ８０と奥側レンチキュラーレンズ８６の離隔距離，奥側レンチキュラーレンズ８６と手前側レンチキュラーレンズ９２の離隔距離等を適当に調節することによって変更可能となっている。
【００７２】
さらに、本実施形態においても、回転体５６は、第一の実施形態の場合と同様に、例えば、複数の特別図柄が特定表示態様で停止表示される可能性が高い状態（リーチ状態）等において、回転せしめられるようになっている。
【００７３】
上述の説明から明らかなように、本実施形態では、ＬＥＤ８０によって装飾体が構成されている。また、本実施形態では、駆動モータ７０，駆動モータ７０の出力軸７２に固定された出力ピニオン７４，回転体５６の外周面に形成された係止歯５８を含んで駆動手段が構成されている。更にまた、本実施形態では、レンチキュラーレンズ８６が固着された回転体５６を凹溝５４内に収容位置せしめ、かかる凹溝５４の開口部を蓋６０によって覆蓋することで、回転体５６に固着されたレンチキュラーレンズ８６の保護手段が構成されている。更に、本実施形態では、センター飾り９０が遊技領域３２に取り付けられた状態下において、蓋６０に固着されたレンチキュラーレンズ９２が窓枠１８によって保持されたガラス板との間の隙間寸法が遊技球の直径よりも小さくなる程度まで窓枠１８によって保持されたガラス板に近接位置せしめられていることによって、蓋６０に固着されたレンチキュラーレンズ９２の保護手段が構成されている。
【００７４】
このような構造とされたセンター飾り９０を備えたパチンコ機においては、駆動モータ７０によって回転体５６が回転せしめられることに起因して回転体５６に固着された奥側レンチキュラーレンズ８６が回転し、それによって、ＬＥＤ８０の前方において回転体５６に固着された奥側レンチキュラーレンズ８６の方向が変化せしめられるようになっていると共に、このように回転体５６に固着された奥側レンチキュラーレンズ８６の方向が変化せしめられることによって、回転体５６に固着された奥側レンチキュラーレンズ８６の方向と、蓋６０に形成された開口窓８２を覆うように固着された手前側レンチキュラーレンズ９２の方向が、同じとなったり異なったりするようになっていることから、手前側および奥側レンチキュラーレンズ９２，８６を通して遊技者の目に映るＬＥＤ８０の発する光の形を、一定の周期（本実施形態では、奥側レンチキュラーレンズ８６が１８０度回転すること時間）でもって、滑らかに連続して変化せしめることが可能となる。
【００７５】
特に、本実施形態では、ＬＥＤ８０の発する光の形の変化が回転体５６の回転のみに起因していることから、ＬＥＤ８０の発する光の形を一定の周期でもって滑らかに連続して変化せしめることが可能となる。
【００７６】
また、本実施形態では、特定の遊技状態（例えば、複数の特別図柄が特定停止表示態様で停止表示される可能性が高い状態等）において、回転体５６が回転せしめられるようになっていることから、手前側および奥側レンチキュラーレンズ９２，８６を通って遊技者の目に映るＬＥＤ８０の発する光の形（見え方）が変化することに対して、遊技者の興味を惹きつけることが可能となり、それによって、遊技を盛り上げて遊技者を楽しませることが可能となる。
【００７７】
さらに、本実施形態では、ＬＥＤ８０を点滅制御する場合において、ＬＥＤ８０が消灯せしめられている時間と回転体５６の回動速度を適当に調節することにより、例えば、ＬＥＤ８０の発する光が、帯状から長方形へと突然に変化せしめられたかの如き印象を遊技者に与えることが可能となり、それによって、ＬＥＤ８０の発する光を用いた演出のバリエーションをより一層増やすことが可能となる。また、ＬＥＤ８０の発する光の色を変化させることによって、ＬＥＤ８０の発する光を用いた演出のバリエーションを更に増やすことが可能となる。
【００７８】
また、図１７乃至図２０には、本発明の第三の実施形態としてのパチンコ機に採用されるセンター飾り９４が示されている。なお、本実施形態のパチンコ機は、第一の実施形態のパチンコ機に比して、センター飾り９４のみが異なっていることから、センター飾り９４についてのみ説明することとし、それ以外の部材および部位については、第一の実施形態と同一の符号を付すことにより、それらの詳細な説明を省略する。
【００７９】
より詳細には、前記第一の実施形態のパチンコ機（１０）に採用されているセンター飾り（３６）は、凹溝５４内に一つの回転体５６が回転可能に収容位置せしめられていたが、本実施形態のパチンコ機に採用されるセンター飾り９４は、かかる回転体５６（以下、奥側回転体５６と称する）に加えて、もう一つ別の回転体９６（以下、手前側回転体９６と称する）が凹溝５４内に収容せしめられている。この手前側回転体９６は、奥側回転体５６と同様に、軸６２に対して挿通配置されたローラ９８をよって、凹溝５４の周方向に回転可能とされている。また、手前側回転体９６の外周面には、係止歯１００が形成されていると共に、手前側回転体９６における一方の面には、レンチキュラーレンズ１０２が固着されている。なお、かかるレンチキュラーレンズ１０２は、第一の実施形態と同様な構造とされていることから、その詳細な説明は省略する。
【００８０】
また、凹溝５４の外側の側壁６６には、収容部６８が形成された周方向位置とは異なる周方向位置において、収容部６８と同じく外方に突出せしめられた収容部１０４が形成されている。そして、かかる収容部１０４には、奥側回転体５６を駆動せしめるための駆動モータ７０（以下、奥側駆動モータ７０と称する）とは別の駆動モータ１０６（以下、手前側駆動モータ１０６と称する）の出力軸１０８に固定された出力ピニオン１１０が位置せしめられている。また、出力ピニオン１１０は、側壁６６によって固定的に支持された支持ピン１１１回りに回転可能に装着された中継歯車１１３に対して噛合せしめられている。更にまた、中継歯車１１３は、手前側回転体９６の外周面に形成された係止歯１００に対して噛合せしめられている。これにより、手前側駆動モータ１０６に電源が供給されると、出力軸１０８に固定された出力ピニオン１１０が周方向一方向に回転せしめられ、その回転方向とは反対方向に対して手前側回転体９６が回転せしめられるようになっている。なお、手前側駆動モータ１０６は、奥側駆動モータ７０と同様に、従来から公知のステッピングモータによって構成されており、センター飾り９４に固定されるようになっている。
【００８１】
このような構造とされたセンター飾り９４においては、手前側回転体９６と奥側回転体５６の回転速度や回転方向等を適当に変更することによって、手前側回転体９６に固着されたレンチキュラーレンズ０２と奥側回転体５６に固着されたレンチキュラーレンズ８６を通して遊技者の目に映るＬＥＤ８０の発する光の形（見え方）を変化せしめることが可能となる。そこにおいて、手前側回転体９６と奥側回転体５６の回転制御方法の具体例としては、例えば、（１）手前側回転体９６および奥側回転体５６の何れか一方のみを回転せしめる方法、（２）手前側回転体９６と奥側回転体５６を互いに異なる方向に回転せしめる方法、（３）手前側回転体９６と奥側回転体５６を互いに同じ方向に同じ角速度でもって回転せしめる方法、（４）手前側回転体９６と奥側回転体５６を互いに同じ方向に回転せしめるが、それらの角速度を互いに異ならせる方法等が考えられる。
【００８２】
そして、手前側回転体９６と奥側回転体５６の回転制御方法として、上記（１），（３）および（４）の方法を採用した場合には、奥側回転体５６に固着されたレンチキュラーレンズ８６および手前側回転体９６に固着されたレンチキュラーレンズ１０２を通して遊技者の目に映るＬＥＤ８０の発する光の形（見え方）が変化する様は、前記第二の実施形態で説明したように、帯状から平行四辺形を経て長方形となった後、平行四辺形を経て再び帯状となる変形を１サイクルとするものであるが、（２）の方法は、（１）の方法に比して、変形の１サイクルに要する時間が短くなる一方、（４）の方法は、（１）の方法に比して、変形の１サイクルに要する時間が長くなる。
【００８３】
また、手前側回転体９６と奥側回転体５６の回転制御方法として、（３）の方法を採用した場合には、奥側回転体５６に固着されたレンチキュラーレンズ８８および手前側回転体９６に固着されたレンチキュラーレンズ１０２を通して遊技者の目に映るＬＥＤ８０の発する光の形（見え方）を一定にしたままの状態で、回転させることが可能となる。
【００８４】
そこにおいて、本実施形態では、手前側回転体９６と奥側回転体５６は、例えば、複数の特別図柄が特定の停止表示態様で停止表示せしめられる可能性が高い場合等において、上記（１）乃至（４）の何れかの方法に基づいて、回転せしめられるようになっている。
【００８５】
上述の説明から明らかなように、本実施形態では、ＬＥＤ８０によって装飾体が構成されている。また、本実施形態では、奥側駆動モータ７０によって奥側回転体５６を駆動せしめることおよび手前側駆動モータ１０６によって手前側回転体９６を駆動せしめることによって、個別駆動手段が構成されている。
【００８６】
このような構造のセンター飾り９４を備えたパチンコ機においては、二つの回転体５６，９６にそれぞれ固着されたレンチキュラーレンズ８６，１０２を通してＬＥＤ８０の発する光が見えるようになっており、しかも、二つの回転体５６，９６をそれぞれ別々の駆動モータ７０，１０６によって駆動せしめるようになっていることから、二つの回転体５６，９６の回転速度や回転方向等を適当に調節することにより、二つのレンチキュラーレンズ８６，１０２を通して遊技者の目に映るＬＥＤ８０の発する光の形（見え方）が変化する様を容易に変更することが可能となる。
【００８７】
また、本実施形態では、二つのレンチキュラーレンズ８６，１０２を通して遊技者の目に映るＬＥＤ８０の発する光を、一定の形（見え方）で動いているように見せることが可能とされていることから、例えば、二つのレンチキュラーレンズ８６，１０２を通して遊技者の目に映るＬＥＤ８０の発する光の形と、複数の特別図柄が特定の停止表示態様で停止表示される確率を対応付けておくことが可能となり、それによって、二つのレンチキュラーレンズ８６，１０２を通して遊技者の目に映るＬＥＤ８０の発する光が特定の形（見え方）で動くことに対して、遊技者の興味を惹きつけることが可能となり、その結果、遊技を盛り上げて遊技者を楽しませることが可能となる。
【００８８】
更にまた、本実施形態では、手前側駆動モータ１０６は、手前側回転体９６の中心よりも上方に位置せしめられていることから、手前側駆動モータ１０６の出力軸１０８に対して手前側回転体９６の重量が直接入力されないようになっており、それによって、手前側駆動モータ１０６の耐久性を確保することが可能となり、その結果、手前側回転体９６の回転作動を長期間に亘って安定させることが可能となる。
【００８９】
また、図２１乃至図２２には、本発明の第四の実施形態としてのパチンコ機に採用されるセンター飾り１１２が示されている。なお、本実施形態のパチンコ機は、第一の実施形態のパチンコ機（１０）に比して、センター飾り１１２のみが異なっていることから、センター飾り１１２についてのみ説明することとし、それ以外の部材および部位については、第一の実施形態と同一の符号を付すことにより、それらの詳細な説明を省略する。
【００９０】
すなわち、前記第一の実施形態のパチンコ機（１０）に採用されているセンター飾り（３６）では、凹溝５４内に一つの回転体５６しか収容されていなかったが、本実施形態のパチンコ機に採用されるセンター飾り１１２では、かかる回転体５６（以下、奥側回転体５６と称する）に加えて、もう一つ別の回転体１１４（以下、手前側回転体１１４と称する）が収容せしめられている。この手前側回転体１１４は、図２３にも示されているように、透明な合成樹脂材によって形成されており、全体として厚肉の円環板形状とされている。また、手前側回転体１１４には、周方向に略１／４周の長さに亘って延びる係止孔１１６が形成されている。更にまた、手前側回転体１１４には、一方の面に対してレンチキュラーレンズ１１８が固着されている。なお、レンチキュラーレンズ１１８は、第一の実施形態と同様な構造のものであるから、その詳細な説明は省略する。そして、このような構造とされた手前側回転体１１４は、軸６２に挿通配置されたローラ１１５によって凹溝５４の周方向に回転可能に支持されている。
【００９１】
一方、奥側回転体５６は、図２４にも示されているように、手前側回転体１１４側の面において、係止突起１２０が形成されている。このように奥側回転体５６に形成された係止突起１２０は、手前側回転体１１４に形成された係止孔１１６内に挿通位置せしめられており、係止孔１１６に沿って移動可能とされている。
【００９２】
このような構造とされたセンター飾り１１２においては、駆動モータ７０に電源が供給されて奥側回転体５６が周方向一方向の側に回転せしめられると、係止突起１２０が係止孔１１６の内周面に当接していない状態では、手前側回転体１１４と奥側回転体５６は相対的に回転せしめられるようになっている。そこにおいて、例えば、係止突起１２０が係止孔１１６における周方向他方の側に位置せしめられている場合に奥側回転体５６に固着されたレンチキュラーレンズ８６の方向と手前側回転体１１４に固着されたレンチキュラーレンズ１１８の方向が一致していると共に、係止突起１２０が係止孔１１６における周方向一方の側に位置せしめられている場合に奥側回転体５６に固着されたレンチキュラーレンズ８６の方向と手前側回転体１１４に固着されたレンチキュラーレンズ１１８の方向が直交しているのであれば、係止突起１２０が係止孔１１６内を周方向他方の端部から一方の端部へと移動するようにして手前側回転体１１４と奥側回転体５６が相対的に回転せしめられている状態下では、奥側回転体５６に固着されたレンチキュラーレンズ８６と手前側回転体１１４に固着されたレンチキュラーレンズ１１８を通して遊技者の目に映るＬＥＤ８０が発する光の形（見え方）は、帯状から平行四辺形を経て長方形に変化していくこととなる。
【００９３】
そして、係止突起１２０が係止孔１１６における周方向一方の側の内周面に当たると、奥側回転体５６と手前側回転体１１４が周方向一方に向かって一体的に回転せしめられることとなる。そこにおいて、例えば、係止突起１２０が係止孔１１６における周方向一方の側に位置せしめられている場合に奥側回転体５６に固着されたレンチキュラーレンズ８６の方向と手前側回転体１１４に固着されたレンチキュラーレンズ１１８の方向が直交しているのであれば、係止突起１２０が係止孔１１６における周方向一方の端部側に位置せしめられるようにして手前側回転体１１４と奥側回転体５６が一体的に回転せしめられている状態下では、奥側回転体５６に固着されたレンチキュラーレンズ８６と手前側回転体１１４に固着されたレンチキュラーレンズ１１８を通して遊技者の目に映るＬＥＤ８０が発する光の形（見え方）は長方形を維持するようになり、二つのレンチキュラーレンズ８６，１１８を通して長方形のように見えるＬＥＤ８０の発する光は、かかる長方形の対角線が交わる点を中心として、回転せしめられているようにみえる。
【００９４】
また、駆動モータ７０に電源が供給されて奥側回転体５６が周方向他方の側に回転せしめられると、係止突起１２０が係止孔１１６の内周面に当接していない状態では、手前側回転体１１４と奥側回転体５６は相対的に回転せしめられるようになっている。そこにおいて、例えば、係止突起１２０が係止孔１１６における周方向他方の側に位置せしめられている場合に奥側回転体５６に固着されたレンチキュラーレンズ８６の方向と手前側回転体１１４に固着されたレンチキュラーレンズ１１８の方向が一致していると共に、係止突起１２０が係止孔１１６における周方向一方の側に位置せしめられている場合に奥側回転体５６に固着されたレンチキュラーレンズ８６の方向と手前側回転体１１４に固着されたレンチキュラーレンズ１１８の方向が直交しているのであれば、係止突起１２０が係止孔１１６の周方向一方の端部から他方の端部へと移動するようにして手前側回転体１１４と奥側回転体５６が相対的に回転せしめられている状態下では、奥側回転体５６に固着されたレンチキュラーレンズ８６と手前側回転体１１４に固着されたレンチキュラーレンズ１１８を通して遊技者の目に映るＬＥＤ８０が発する光の形（見え方）は、長方形から平行四辺形を経て帯状に変化していくこととなる。
【００９５】
そして、係止突起１２０が係止孔１１６における周方向他方の側の内周面に当たると、奥側回転体５６と手前側回転体１１４が周方向他方に向かって一体的に回転せしめられることとなる。そこにおいて、例えば、係止突起１２０が係止孔１１６における周方向他方の側に位置せしめられている場合に奥側回転体５６に固着されたレンチキュラーレンズ８６の方向と手前側回転体１１４に固着されたレンチキュラーレンズ１１８の方向が一致しているのであれば、係止突起１２０が係止孔１１６における周方向他方の端部側に位置せしめられるようにして手前側回転体１１４と奥側回転体５６が一体的に回転せしめられている状態下では、奥側回転体５６に固着されたレンチキュラーレンズ８６と手前側回転体１１４に固着されたレンチキュラーレンズ１１８を通して遊技者の目に映るＬＥＤ８０が発する光の形は帯状を維持するようになり、二つのレンチキュラーレンズ８６，１１４を通して帯状に見えるＬＥＤ８０の発する光は、かかる帯状の長手方向中央部分を中心として、回転せしめられているように見える。
【００９６】
また、本実施形態でも、奥側回転体５６は、複数の特別図柄が特定の停止表示態様で停止表示せしめられる可能性が高い状態等において、回転せしめられるようになっている。
【００９７】
上述の説明から明らかなように、本実施形態では、ＬＥＤ８０によって装飾体が構成されている。また、本実施形態では、係止突起１２０が係止孔１１６の周方向一方又は他方の内周面に当接しておらず、係止突起１２０が係止孔１１６内を周方向に移動せしめられることによって、相対回転手段が構成されている。また、本実施形態では、係止突起１２０が係止孔１１６の周方向一方又は他方の内周面に当接した状態で、駆動モータ７０が駆動せしめられることによって、一体回転手段が構成されている。
【００９８】
このような構造のセンター飾り１１２が採用されているパチンコ機においては、係止突起１２０が係止孔１１６の周方向一方又は他方の内周面に当接していない状態では、奥側回転体５６と手前側回転体１１４が相対回転せしめられるようになっている一方、係止突起１２０が係止孔１１６の周方向一方又は他方の内周面に当接している状態では、奥側回転体５６と手前側回転体１１４が一体的に回転せしめられるようになっていることから、奥側回転体５６と手前側回転体１１４が相対回転せしめられている場合には、奥側回転体５６に固着されたレンチキュラーレンズ８６および手前側回転体１１４に固着されたレンチキュラーレンズ１１８を通って遊技者の目に映るＬＥＤ８０の発する光の形を滑らかに変化させることが可能となり、また、奥側回転体５６と手前側回転体１１４が一体回転せしめられている場合には、奥側回転体５６に固着されたレンチキュラーレンズ８６および手前側回転体１１４に固着されたレンチキュラーレンズ１１８を通って遊技者の目に映るＬＥＤ８０の発する光を、その形が一定となった状態で、滑らかに回転しているようにみせることが可能となる。
【００９９】
また、本実施形態では、奥側回転体５６は、特定の遊技状態（例えば、複数の特別図柄が特定の停止表示態様で停止表示される可能性が高い状態等）において、回転せしめられるようになっていることから、奥側回転体５６が回転せしめられることによって二つのレンチキュラーレンズを通して遊技者の目に映るＬＥＤ８０の発する光の形（見え方）に対して遊技者の興味を惹きつけることが可能となり、それによって、遊技を盛り上げて遊技者を楽しませることが可能となる。
【０１００】
また、図２５乃至図２６には、本発明の第五の実施形態としてのパチンコ機に採用されるセンター飾り１２２が示されている。なお、本実施形態のパチンコ機は、第一の実施形態のパチンコ機に比して、センター飾り１２２のみが異なっていることから、センター飾り１２２についてのみ説明することとし、それ以外の部材および部位については、第一の実施形態と同一の符号を付すことにより、それらの詳細な説明を省略する。
【０１０１】
すなわち、前記第一の実施形態に採用されているセンター飾り（３６）では、凹溝５４内に一つの回転体５６しか収容されていなかったが、本実施形態のパチンコ機に採用されるセンター飾り１２２では、かかる回転体５６（以下、奥側回転体５６と称する）に加えて、もう一つ別の回転体１２４（以下、手前側回転体１２４と称する）が収容せしめられている。この手前側回転体１２４は、図２７にも示されているように、透明な合成樹脂材によって形成されており、全体として厚肉の円環板形状とされている。また、手前側回転体１２４には、係止孔１２６が形成されており、かかる係止孔１２６における周方向他方の側の開口周縁部には、奥側回転体５６の側において、傾斜面１２８（図２９および図３０参照）が形成されている。更にまた、手前側回転体１２４には、レンチキュラーレンズ１３０が固着されている。なお、レンチキュラーレンズ１３０は、第一の実施形態と同様な構造のものであるから、その詳細な説明は省略する。そして、このような構造とされた手前側回転体１２４は、軸６２に挿通配置されたローラ１３１によって凹溝５４の周方向に回転可能に支持されている。
【０１０２】
一方、奥側回転体５６は、図２８にも示されているように、凹溝５４の底側に開口する収容凹所１３２を備えている。また、収容凹所１３２の底壁には、挿通孔１３４が形成されており、かかる挿通孔１３４には、係止ロッド１３６が挿通配置されている。この係止ロッド１３６は、軸方向中間部分が軸方向両端部分よりも大きな外径寸法を有する大径部１３８とされており、かかる大径部１３８が収容凹所１３２内に位置せしめられるようにして、収容凹所１３２の側から挿通孔１３４に挿通配置されている。そして、このように係止ロッド１３６が挿通孔１３４に挿通された状態で、収容凹所１３２の開口部が蓋部材１４０によって覆蓋されるようになっている。そこにおいて、係止ロッド１３６における大径部１３８と蓋部材１４０の間には、コイルスプリング１４２が位置せしめられており、かかるコイルスプリング１４２は、係止ロッド１３６および蓋部材１４０に形成された突起１４４に対して外挿されている。また、コイルスプリング１４２は、このように係止ロッド１３６における大径部１３８と蓋部材１４０の間に位置せしめられた状態下において、軸方向に圧縮せしめられている。
【０１０３】
そして、コイルスプリング１４２は、係止ロッド１３６が手前側回転体１２４における一方の面に当接している状態では、図２９に示されているように、大径部１３８と蓋部材１４０によって圧縮せしめられるようになっている一方、係止ロッド１３６が係止孔１２６内に位置せしめられている状態では、図３０に示されているように、大径部１３８を収容凹所１３２の底壁に押しつけるようになっている。
【０１０４】
このような構造とされたセンター飾り１２２においては、駆動モータ７０に電源が供給されて奥側回転体５６が周方向一方向の側に回転せしめられると、係止ロッド１３６が係止孔１２６に挿通されていない状態、即ち、係止ロッド１３６が奥側回転体５６の一方の面に当接している状態では、係止ロッド１３６は奥側回転体５６の一方の面上を摺動せしめられることとなり、それによって、手前側回転体１２４と奥側回転体５６は相対的に回転せしめられることとなる。
【０１０５】
そこにおいて、例えば、係止ロッド１３６が係止孔１２６が形成された位置から周方向他方の側に１／４周だけ離隔せしめられた位置にある場合に奥側回転体５６に固着されたレンチキュラーレンズ８６の方向と手前側回転体１２４に固着されたレンチキュラーレンズ１３０の方向が一致していると共に、係止ロッド１３６が係止孔１２６に挿通されて係止孔１２６の内周面に当接せしめられている場合に奥側回転体５６に固着されたレンチキュラーレンズ８６の方向と手前側回転体１２４に固着されたレンチキュラーレンズ１３０の方向が直交しているのであれば、係止ロッド１３６が係止孔１２６が形成された位置から周方向他方の側に１／４周だけ離隔せしめられた位置から周方向一方に向かって移動せしめられるようにして、手前側回転体１２４と奥側回転体５６が相対的に回転せしめられている状態下では、奥側回転体５６に固着されたレンチキュラーレンズ８６と手前側回転体１２４に固着されたレンチキュラーレンズ１３０を通して遊技者の目に映るＬＥＤ８０が発する光の形（見え方）は、帯状から平行四辺形を経て長方形へと変化していくこととなる。
【０１０６】
そして、係止ロッド１３６が係止孔１２６の開口周縁部に形成された傾斜面１２８を通って係止孔１２６に挿通されて係止孔１２６の内周面に当接すると、奥側回転体５６と手前側回転体１１４が周方向一方に向かって一体的に回転せしめられることとなる。即ち、本実施形態では、係止孔１２６には、その周方向他方の側にのみ傾斜面１２８が形成されていることから、周方向他方の側から周方向一方の側に向かって奥側回転体５６の一方の面上を摺動せしめられた後、傾斜面１２８を通って係止孔１２６内に挿通された係止ロッド１３６は、周方向一方の側に向かって移動していく場合に限り、再び奥側回転体５６における一方の面上を摺動せしめられることはない。また、係止ロッド１３６が傾斜面１２８を通って係止孔１２６に挿通される際には、係止ロッド１３６の大径部１３８と蓋部材１４０によって圧縮せしめられていたコイルスプリング１４２の付勢力が係止ロッド１３６に作用するようになっており、それによって、係止ロッド１３６の係止孔１２６への挿通が速やかに行われるようになっている。
【０１０７】
そこにおいて、例えば、係止ロッド１３６が係止孔１２６に挿通せしめられて係止孔１２６の内周面に当接せしめられている場合に奥側回転体５６に固着されたレンチキュラーレンズ８６の方向と手前側回転体１２４に固着されたレンチキュラーレンズ１３０の方向が直交しているのであれば、手前側回転体１２４と奥側回転体５６が一体的に回転せしめられている状態下では、奥側回転体５６に固着されたレンチキュラーレンズ８６と手前側回転体１２４に固着されたレンチキュラーレンズ１３０を通して遊技者の目に映るＬＥＤ８０が発する光の形は長方形に維持せしめられることとなり、二つのレンチキュラーレンズ８６，１３０を通して長方形のように見えるＬＥＤ８０の発する光は、かかる長方形における二つの対角線が交わる点を中心として、回転せしめられている。
【０１０８】
また、係止ロッド１３６が係止孔１２６に挿通位置せしめられた状態で駆動モータ７０に電源が供給されて奥側回転体５６が周方向他方の側に回転せしめられると、係止孔１２６に挿通されていた係止ロッド１３６は係止孔１２６の開口周縁部に形成された傾斜面１２８を通って手前側回転体１２４の一方の面上に位置せしめられることとなる。
【０１０９】
すなわち、本実施形態では、奥側回転体５６が周方向一方の側に向かって回転せしめられる場合、係止ロッド１３６が手前側回転体１２４の一方の面上を摺動せしめられている状態から傾斜面１２８を通って係止孔１２６に位置せしめられると、それ以降は、奥側回転体５６と手前側回転体１２４が一体的に回転せしめられるようになっている一方、奥側回転体５６が周方向他方の側に向かって回転せしめられる場合には、係止ロッド１３６が手前側回転体１２４の一方の面上を摺動せしめられた状態から係止孔１２６に嵌まり込んだとしても、係止孔１２６における周方向他方の側に形成された傾斜面１２８を通って再び手前側回転体１２４の一方の面上を摺動せしめられることとなり、その結果、奥側回転体５６と手前側回転体１２４は相対的な回転をし続けることとなるのである。
【０１１０】
また、上述の説明から明らかなように、本実施形態では、ＬＥＤ８０によって装飾体が構成されている。更にまた、本実施形態では、奥側回転体５６が駆動モータ７０によって回転せしめられている際に、係止ロッド１３６が手前側回転体１２４における一方の面上を摺動せしめられていることによって、相対回転手段が構成されている。更に、本実施形態では、奥側回転体５６が駆動モータ７０によって周方向一方に回転せしめられた状態下において、係止ロッド１３６が係止孔１２６に挿通されて係止孔１２６の内周面に当接していることによって、一体回転手段が構成されている。
【０１１１】
このような構造のセンター飾り１２２が採用されているパチンコ機においては、奥側回転体５６が周方向一方の側に向かって回転せしめられる場合、係止ロッド１３６が手前側回転体１２４の一方の面上を摺動せしめられている状態から傾斜面１２８を通って係止孔１２６に位置せしめられると、それ以降は、奥側回転体５６と手前側回転体１２４が一体的に回転せしめられるようになっていることから、奥側回転体５６と手前側回転体１２４が一体的に回転せしめられている際の奥側回転体５６に固着されたレンチキュラーレンズ８６の方向と手前側回転体１２４に固着されたレンチキュラーレンズ１３０の方向とを適当に設定することによって、それら二つのレンチキュラーレンズ８６，１３０を通って遊技者の目に映るＬＥＤ８０の発する光の形を特定のものに設定しておくことが可能となる。
【０１１２】
また、本実施形態では、奥側回転体５６が周方向他方の側に向かって回転せしめられる場合には、係止ロッド１３６が手前側回転体１２４の一方の面上を摺動せしめられた状態から係止孔１２６に嵌まり込んだとしても、係止孔１２６における周方向他方の側に形成された傾斜面１２８を通って再び手前側回転体１２４の一方の面上を摺動せしめられることとなり、その結果、奥側回転体５６と手前側回転体１２４は相対的な回転をし続けることとなっているから、奥側回転体５６が周方向他方の側に向かって回転せしめられている場合には、奥側回転体５６に固着されたレンチキュラーレンズ８６の方向と手前側回転体１２４に固着されたレンチキュラーレンズ１３０の方向が一致したり一致しなかったりすることとなり、それによって、それら二つのレンチキュラーレンズ１３０を通って遊技者の目に映るＬＥＤ８０の発する光の形を周期的に変化せしめることが可能となる。
【０１１３】
以上、本発明の幾つかの実施形態について、詳述してきたが、これらはあくまでも例示であって、本発明は、かかる実施形態における具体的な記載によって、何等、限定的に解釈されるものではない。
【０１１４】
例えば、前記第一乃至第五の実施形態では、パチンコ機におけるセンター飾りに対して本発明を適用したものの具体例が示されていたが、本発明は、パチンコ機におけるその他の部材および部位についても、勿論、適用可能である。具体的には、例えば、遊技領域に設けられて遊技領域を流下せしめられる遊技球の流下方向を変化せしめる風車に対しても、本発明は適用可能であり、その場合、図３１および図３２に示されているような態様が考えられる。この風車１４６は、図３１および図３２に示されているように、風車本体１４８が取付板１５０に対して一軸回りに回転可能に支持された構造を有している。
【０１１５】
より詳細には、風車本体１４８は、全体として略一定の円形断面で延びる円筒形状を呈する回転筒部１５２の軸方向一方の開口端が円板状の蓋体１５４によって覆蓋された構造とされている。そこにおいて、蓋体１５４は、回転筒部１５２に一体形成されていても良いし、別体形成されて接着等によって回転筒部１５２に固定されるようにしても良い。因みに、図３１および図３２に示されたものにおいては、蓋体１５４は、回転筒部１５２に対して一体形成されている。また、図３１および図３２に示されたものにおいては、風車本体１４８は、透明な合成樹脂材によって形成されている。
【０１１６】
また、回転筒部１５２の外周面上には、周上の適数箇所（本実施形態では、３箇所）において、軸直角方向外方に突出する突起１５５が一体形成されており、特に、図３１および図３２に示されたものにおいては、、各突起１５５は、回転筒部１５２の軸方向の全体に亘って略一定の断面形状で延びるように形成されている。
【０１１７】
更にまた、蓋体１５４には、回転筒部１５２側に突出する円筒状の回転軸１５６が回転筒部１５２と同心軸上に設けられている。また、蓋体１５４には、レンチキュラーレンズ１５８が固着されている。このレンチキュラーレンズ１５８は、第一の実施形態と同様な構造のものが採用されていることから、その詳細な説明は省略する。
【０１１８】
一方、取付板１５０は、風車本体１４８を一軸回りに回転可能に支持した状態で、遊技領域に取り付けるためのものであり、その外周縁部の適当な箇所において、取付板１５０を遊技領域に取り付けるためのビスが挿通される取付孔１６０が形成されている。また、取付板１５０には、その中央部分において、円筒状の支持軸１６２が突設されており、特に本実施形態では、かかる支持軸１６２の外径寸法は、回転軸１５６の内径寸法よりも小さくされている。更にまた、本実施形態では、支持軸１６２に形成された中心孔１６４は、取付板１５０の裏面（支持軸１６２が突設していない側の面）に開口している。
【０１１９】
そして、取付板１５０に形成された支持軸１６２に対して風車本体１４８における回転軸１５６が外挿された状態で、取付板１５０が遊技領域に対してビス止めされることにより、風車本体１４８が取付板１５０に対して一軸回りに回転可能に支持されているのである。即ち、図３１および図３２に示されたものにおいては、風車本体１４８は、回転軸１５６が取付板１５０に形成された支持軸１６２に対して外挿されただけで、一軸回りに回転可能に支持されているが、風車本体１４８の軸方向の移動が窓枠に保持されたガラス板によって制限されるようになっていることから、風車本体１４８の取付板１５０からの脱落が有利に回避されるようになっている。
【０１２０】
このようにして風車１４６が遊技領域に取り付けられた状態下において、取付板１５０の裏側には、発光源としてのＬＥＤ１６６が実装された基板１６８がビス止め等によって固定されるようになっており、基板１６８が取付板１５０の裏側に固定された状態下において、基板１６８に実装されたＬＥＤ１６６の発光が、中心孔１６４を通じて、取付板１５０の表側から視認可能となっている。特に、本実施形態では、風車本体１４８が透明な合成樹脂材によって形成されており、しかも、かかる蓋体１５４に対してレンチキュラーレンズ１５８が貼付されていることから、取付板１５０の裏側に位置せしめられたＬＥＤ１６６の発光は、風車本体１４８における蓋体１５４に貼付されたレンチキュラーレンズ１５８を通じて遊技者に視認可能とされている。
【０１２１】
これにより、丸い点のように見えるＬＥＤ１６６の発する光がレンチキュラーレンズ１５８を通ることによって細長い帯状に見えるようになる。また、遊技領域を流下せしめられる遊技球が風車本体１４８に当たって風車本体１４８が回転軸１５６回りに回転すると、レンチキュラーレンズ１５８を通して細長い帯状に見えるＬＥＤ１６６の発する光が、長手方向中央部分を中心として回転せしめられるように見える。
【０１２２】
なお、図３１および図３２に示されたものにおいては、蓋体１５４に貼付されたレンチキュラーレンズ１５８と窓枠によって保持されたガラス板の隙間寸法が遊技球の直径よりも小さくされており、それによって、遊技球がレンチキュラーレンズ１５８とガラス板の間を通ることが防止されており、それによって、遊技球のレンチキュラーレンズ１５８への接触が防止されているのである。
【０１２３】
上述の説明から明らかなように、図３１および図３２に示されたものにおいては、発光源としてのＬＥＤ１６６自体によって装飾体が構成されている。また、本実施形態では、レンチキュラーレンズ１５８と窓枠によって保持されたガラス板との隙間寸法を遊技球の直径よりも小さくすることによって、保護手段が構成されている。
【０１２４】
このような構造の風車１４６を備えたパチンコ機においては、遊技領域を流下せしめられる遊技球が風車本体１４８に当たると、風車本体１４８の蓋体１５４に貼付されたレンチキュラーレンズ１５８が回転せしめられて、その方向（複数状の凸レンズが一列に並ぶ方向）がＬＥＤ１６６の前方において変化せしめられることとなる。これにより、丸い点状から棒状乃至は帯状に見え方が変更せしめられたＬＥＤ１６６の発する光が、その長手方向中央部分を中心として回転するように見えることとなる。その結果、遊技者に対して不思議な印象を与えることが可能となり、それによって、遊技者を楽しませることが可能となる。
【０１２５】
特に、本実施形態では、レンチキュラーレンズ１５８によって棒状乃至は帯状に見えるＬＥＤ１６６の発する光の回転が、風車本体１４８の回転軸１５６回りの回転のみに起因していることから、レンチキュラーレンズ１５８によって棒状乃至は帯状に見えるＬＥＤ１６６の発する光を滑らかに連続して回転するように見せることが可能となる。
【０１２６】
また、レンチキュラーレンズ１５８の後方において、ＬＥＤ１６６を固定的に設ける必要はなく、例えば、図３３に示されているように、駆動モータ１７０の出力軸に固設された出力ピニオン１７２に噛合せしめられるラック１７４に対してＬＥＤ１６６が実装された基板１６８を固定しておき、駆動モータ１７０によってラック１７４が駆動変位せしめられることで、ラック１７４に固定されたＬＥＤ１６８がレンチキュラーレンズ１５８に対して接近／離隔方向に変位せしめられるようにしても良い。この場合、駆動モータ１７０，駆動モータ１７０の出力軸に固定された出力ピニオン１７２，出力ピニオン１７２に噛合されるラック１７４を含んで離隔距離変更手段が構成されることとなる。なお、図３３において、理解を容易にするために、図３１および図３２に示されたものと同様な構造とされた部材および部位については、図３１および図３２において付された符号と同じ符号を付してある。
【０１２７】
更にまた、前記第一乃至第五の実施形態では、レンチキュラーレンズが回転せしめられるようになっていたが、例えば、図３４に示されているように、駆動モータ（図示せず）によって周方向に回転可能とされたロッド１７８を設けると共に、かかるロッド１７８における回転中心軸から離隔せしめられた位置に対して発光源としてＬＥＤ１８０が実装された基板１８２を固定するようにし、それによって、ＬＥＤ１８０がロッド１７８の回転に伴って回転せしめられるようにしても良い。この場合、ＬＥＤ１８０の前方に配された一枚のレンチキュラーレンズ１８４を通って遊技者の目に映るＬＥＤ１８０の発する光は、図３４において矢印で示されている方向に動いて見えるようになっており、その結果、遊技者に対してＬＥＤ１８０自体が動いているような印象を与えることが可能となる。
【０１２８】
また、前記第一の実施形態では、一つのＬＥＤを前方から覆うようにしてレンチキュラーレンズが配されていたが、例えば、図３５に示されているように、複数（図３５では、二つ）のＬＥＤ１８６，１８７を前方から覆うようにしてレンチキュラーレンズ１８８が配されるようにしても良い。この場合、レンチキュラーレンズ１８８の後方に配された複数のＬＥＤ１８６，１８７の大きさや形状，それら複数のＬＥＤ１８６，１８７の離隔距離，一方のＬＥＤ１８６とレンチキュラーレンズ１８８の離隔距離，他方のＬＥＤ１８７とレンチキュラーレンズ１８８の離隔距離等を適当に調節することにより、レンチキュラーレンズ１８８を複数のＬＥＤ１８６，１８７の前方で回転させた場合に、複数のＬＥＤ１８６，１８７のそれぞれが発する光１９０，１９２が、図３５に示されているように、遊技者において重なって見える状態から、図３６に示されているように、遊技者において重なって見えない状態に変化させることが可能となる。なお、図３５および図３６では、複数のＬＥＤ１８６，１８７は、それぞれ、その位置にあることが示されている。
【０１２９】
そして、例えば、複数のＬＥＤ１８６，１８７のそれぞれが発する光１９０，１９２が遊技者において重なって見えるようになることで、大当たり予告を行うようにすると、複数のＬＥＤ１８６，１８７のそれぞれが発する光１９０，１９２が遊技者において重なって見えることに対して、遊技者の興味を惹きつけることが可能となり、その結果、遊技を盛り上げて遊技者を楽しませることが可能となる。
【０１３０】
また、複数のＬＥＤ１８６，１８７が互いに異なる色の光を発するようにすることで、それら複数のＬＥＤ１８６，１８７の光１９０，１９２が重なって見える部分において、各ＬＥＤの発する光の色を混ぜ合わせることが可能となり、それによって、複数のＬＥＤ１８６，１８７の発する光１９０，１９２の見え方のバリエーションを増やすことが可能となる。
【０１３１】
さらに、複数枚のレンチキュラーレンズを通して複数のＬＥＤ１８６，１８７の発する光１９０，１９２を見せるようにする場合には、それら複数のＬＥＤ１８６，１８７の発する光１９０，１９２が重なって見える部分を十分に大きく確保することが可能となる。
【０１３２】
更にまた、レンチキュラーレンズ１８８を回転させるのではなく、複数のＬＥＤ１８６，１８７の少なくとも一つを動かすことによって、複数のＬＥＤ１８６，１８７の発する光１９０，１９２が重なって見えるようにしても良い。
【０１３３】
さらに、前記第一乃至第五の実施形態では、装飾体が発光源（ＬＥＤ）のみによって構成されていたが、装飾体は発光源のみによって構成されたものに限定されることはなく、例えば、液晶表示器の表示画面に表示される画像等によって構成することも可能である。このように液晶表示器の表示画面に表示される画像によって装飾体を構成する場合、液晶表示器の表示画面に表示される画像を容易に変更することが可能となり、それによって、レンチキュラーレンズを通って遊技者の目に映る装飾体のバリエーションを一層増やすことが可能となる。
【０１３４】
更にまた、装飾体が発光源を含んで構成されている場合には、発光源とレンチキュラーレンズの間において、例えば、水等の液体のように発光源の発する光の屈折率を変化させるもの（媒質）が収容せしめられた透明なケースを配するようにしても良い。また、発光源の発する光がレンチキュラーレンズに達するまでの間において、発光源が発する光の形を変化せしめる部材（例えば、矩形や楕円形，三角形等の穴等が形成された板）等を配しておくようにしても良い。
【０１３５】
また、前記第一乃至第五の実施形態では、ＬＥＤによって発光源が構成されていたが、発光源はＬＥＤに限定されるものではなく、例えば、ランプ等であっても良い。更にまた、前記第一乃至第五の実施形態では、発光源（ＬＥＤ）の発する光の形は、丸い点状とされていたが、発光源の発する光の形は、丸い点状に限定されるものではなく、例えば、三角形や楕円形，矩形等であっても良い。
【０１３６】
さらに、複数枚のレンチキュラーレンズを通して装飾体を見せるようにする場合には、それら複数枚のレンチキュラーレンズの離隔距離を変更するようにしても良い。
【０１３７】
また、複数の発光源の前方にレンチキュラーレンズを配する場合には、発光源とレンチキュラーレンズの距離を、各発光源毎に変更するようにしても良い。
【０１３８】
更にまた、前記第一乃至第五の実施形態では、パチンコ機の遊技領域上の構造物に対して、本発明を適用したものの具体例が示されていたが、例えば、図３７に示されているように、パチンコ機の窓枠１８に設けられる窓枠用飾り部材１９４に対して、本発明を適用することも可能である。そこにおいて、図３７に示された窓枠用飾り部材１９４は、全体として、第一の実施形態で採用されていたセンター飾りにおいて遊技板の表面から突出せしめられている部分、即ち、取付板よりも遊技者側に位置せしめられる部分の全体サイズおよび奥行寸法が小さくされたような構造となっている。なお、窓枠用飾り部材１９４の構造等は、図３７に示されたものに限定されないことは、言うまでもない。また、図３７においては、理解を容易にするために、第一の実施形態と同様な構造とされた部材および部位については、第一の実施形態と同一の符号を付してある。
【０１３９】
また、前記第一乃至第五の実施形態では、回転体を駆動するための駆動モータは、回転体の中心よりも上方に位置せしめられていたが、回転体の下方に位置せしめられていても良い。その場合、図３８に示されるような構成が好適に採用される。なお、理解を容易にするために、図３８においては、第一の実施形態と同様な構造とされた部材および部位については、第一の実施形態と同一の符号を付してある。
【０１４０】
図３８に示された構成では、回転体５４の中心よりも下方に位置せしめられて回転体５４の支持荷重が入力されるローラ６４がゴム弾性体によって形成されており、かかるローラ６４の中心孔に対して駆動歯車８９に突設された軸部９１が圧入固定されている。そこにおいて、ローラ６４の内径寸法は、自由状態下において、軸部９１の外径寸法よりも小径とされており、それによって、ローラ６４は、その弾性によって軸部９１の外周面に密着せしめられるようにして固定されている。このようにしてローラ６４に固定された駆動歯車８９は、その中心孔に対して軸６２が挿通されるようになっており、それによって、軸６２回りに回転可能とされている。また、このように駆動歯車８９が軸６２に対して回転可能に組み付けられた状態下において、回転体５４がローラ６４に当接せしめられている。そして、ローラ６４に固定された駆動歯車８９に対して駆動モータ７０の出力軸７２に固定された出力ピニオンが噛合されるようになっており、それによって、駆動モータ７０の駆動力が駆動歯車８９およびローラ６４を介して回転体５４に伝達されるようになっている。また、このように駆動モータ７０の駆動力が駆動歯車８９およびローラ６４を介して回転体５４に伝達されるようになっていることから、回転体５４の外周面には、係止歯は形成されていない。
【０１４１】
このような構成を採用すると、回転体５４の支持荷重が入力されるローラ６４に組み付けられた駆動歯車８９に対して駆動モータ７０の出力軸７２に固定された出力ピニオン７４が噛合されるようになっていることから、駆動モータ７０に対して直接に回転体５４の支持荷重が入力されないようにすることが可能となり、それによって、駆動モータ７０の耐久性を確保して、長期間に亘る作動の安定化を図ることが可能となる。
【０１４２】
また、回転体５４の支持荷重が入力されるローラ６４と回転体５４との摩擦力を利用して回転体５４を回転させることが可能となり、それによって、回転体５４の外周面に対して駆動モータ７０の駆動力を伝達するための係止歯を形成する必要がなくなる。
【０１４３】
更にまた、回転体５４の支持荷重が入力されるローラ６４がゴム弾性体によって形成されていることから、回転体５４の重量によってローラ６４に及ぼされる接触圧を利用することで、回転体５４とローラ６４の間での摩擦力を一層有利に得ることが可能となる。
【０１４４】
また、前記第一乃至第五の実施形態では、駆動モータ７０の出力軸７２は、回転体５４の面に直交していたが、回転体５４の面に対して平行であっても良い。この場合、駆動モータ７０の突出量を抑えることが可能となる。なお、この場合、駆動モータ７０から回転体５４への駆動力の伝達経路上において、傘歯歯車を採用することになる。
【０１４５】
加えて、前記第一乃至第五の実施形態では、第１種パチンコ機に対して、本発明を適用したものの具体例が示されていたが、本発明は、第２種パチンコ機や第３種パチンコ機、或いは、スロットマシン等の回胴遊技機、アレンジボール機等に対しても、勿論適用可能である。
【０１４６】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【０１４７】
【図１】本発明の第一の実施形態のパチンコ機を示す正面図である。
【図２】図１に示されたパチンコ機に採用されているセンター飾りの正面図である。
【図３】図２におけるＩＩＩ−ＩＩＩ断面図である。
【図４】図２におけるＩＶ−ＩＶ断面図である。
【図５】レンチキュラーレンズの構造を説明するための断面図である。
【図６】図２に示されたセンター飾りにおいて、レンチキュラーレンズを通して遊技者の目に映るＬＥＤの発する光の形を説明するための図面である。
【図７】本発明の第二の実施形態のパチンコ機に採用されるセンター飾りの正面図である。
【図８】図７におけるＶＩＩＩ−ＶＩＩＩ断面図である。
【図９】図７に示されたセンター飾りにおいて、手前側レンチキュラーレンズの方向と奥側レンチキュラーレンズの方向が一致している状態での手前側および奥側レンチキュラーレンズを通して遊技者の目に映るＬＥＤの発する光の形を説明するための図面である。
【図１０】図７に示されたセンター飾りにおいて、手前側レンチキュラーレンズの方向に対して奥側レンチキュラーレンズの方向が右側に３０度傾斜している状態での手前側および奥側レンチキュラーレンズを通して遊技者の目に映るＬＥＤの発する光の形を説明するための図面である。
【図１１】図７に示されたセンター飾りにおいて、手前側レンチキュラーレンズの方向に対して奥側レンチキュラーレンズの方向が右側に４５度傾斜している状態での手前側および奥側レンチキュラーレンズを通して遊技者の目に映るＬＥＤの発する光の形を説明するための図面である。
【図１２】図７に示されたセンター飾りにおいて、手前側レンチキュラーレンズの方向に対して奥側レンチキュラーレンズの方向が右側に６０度傾斜している状態での手前側および奥側レンチキュラーレンズを通して遊技者の目に映るＬＥＤの発する光の形を説明するための図面である。
【図１３】図７に示されたセンター飾りにおいて、手前側レンチキュラーレンズの方向に対して奥側レンチキュラーレンズの方向が右側に９０度傾斜している状態での手前側および奥側レンチキュラーレンズを通して遊技者の目に映るＬＥＤの発する光の形を説明するための図面である。
【図１４】図７に示されたセンター飾りにおいて、手前側レンチキュラーレンズの方向に対して奥側レンチキュラーレンズの方向が右側に１２０度傾斜している状態での手前側および奥側レンチキュラーレンズを通して遊技者の目に映るＬＥＤの発する光の形を説明するための図面である。
【図１５】図７に示されたセンター飾りにおいて、手前側レンチキュラーレンズの方向に対して奥側レンチキュラーレンズの方向が右側に１３５度傾斜している状態での手前側および奥側レンチキュラーレンズを通して遊技者の目に映るＬＥＤの発する光の形を説明するための図面である。
【図１６】図７に示されたセンター飾りにおいて、手前側レンチキュラーレンズの方向に対して奥側レンチキュラーレンズの方向が右側に１５０度傾斜している状態での手前側および奥側レンチキュラーレンズを通して遊技者の目に映るＬＥＤの発する光の形を説明するための図面である。
【図１７】本発明の第三の実施形態のパチンコ機に採用されるセンター飾りの正面図である。
【図１８】図１７におけるＸＶＩＩＩ−ＸＶＩＩＩ断面図である。
【図１９】図１７におけるＸＩＸ−ＸＩＸ断面図である。
【図２０】図１７におけるＸＸ−ＸＸ断面図である。
【図２１】本発明の第四の実施形態のパチンコ機に採用されるセンター飾りの正面図である。
【図２２】図２１におけるＸＸＩＩ−ＸＸＩＩ断面図である。
【図２３】図２１に示されたセンター飾りに採用されている手前側回転体の正面図である。
【図２４】図２１に示されたセンター飾りに採用されている奥側回転体の正面図である。
【図２５】本発明の第五の実施形態のパチンコ機に採用されるセンター飾りの正面図である。
【図２６】図２５におけるＸＸＶＩ−ＸＸＶＩ断面図である。
【図２７】図２５に示されたセンター飾りに採用されている手前側回転体の正面図である。
【図２８】図２５に示されたセンター飾りに採用されている奥側回転体の正面図である。
【図２９】係止ロッドが手前側回転体の一方の面に当接している状態を説明するための断面図である。
【図３０】係止ロッドが手前側回転体に形成された係止穴に挿通された状態を説明するための断面図である。
【図３１】本発明のパチンコ機に採用可能な風車を示す正面図である。
【図３２】図３１におけるＸＸＸＩＩ−ＸＸＸＩＩ断面図である。
【図３３】レンチキュラーレンズと装飾体との離隔距離を変更する機構の一具体例を説明するための図面である。
【図３４】装飾体を回転させる機構の一具体例を説明するための斜視図である。
【図３５】二つのＬＥＤが発する光をレンチキュラーレンズを通して見た場合の様子を示すものであって、各ＬＥＤの発する光が重なっている状態を示すものである。
【図３６】二つのＬＥＤが発する光をレンチキュラーレンズを通して見た場合の様子を示すものであって、各ＬＥＤの発する光が重なっていない状態を示すものである。
【図３７】パチンコ機の窓枠に設けられる窓枠用飾り部材に対して、本発明を適用したものの一具体例を示す図面である。
【図３８】回転体の駆動機構における他の態様を示す断面図である。
【符号の説明】
【０１４８】
１０  パチンコ機
８０  ＬＥＤ
８６  レンチキュラーレンズ
【図１】
0004688018.tif 000002
【図２】
0004688018.tif 000003
【図３】
0004688018.tif 000004
【図４】
0004688018.tif 000005
【図５】
0004688018.tif 000006
【図６】
0004688018.tif 000007
【図７】
0004688018.tif 000008
【図８】
0004688018.tif 000009
【図９】
0004688018.tif 000010
【図１０】
0004688018.tif 000011
【図１１】
0004688018.tif 000012
【図１２】
0004688018.tif 000013
【図１３】
0004688018.tif 000014
【図１４】
0004688018.tif 000015
【図１５】
0004688018.tif 000016
【図１６】
0004688018.tif 000017
【図１７】
0004688018.tif 000018
【図１８】
0004688018.tif 000019
【図１９】
0004688018.tif 000020
【図２０】
0004688018.tif 000021
【図２１】
0004688018.tif 000022
【図２２】
0004688018.tif 000023
【図２３】
0004688018.tif 000024
【図２４】
0004688018.tif 000025
【図２５】
0004688018.tif 000026
【図２６】
0004688018.tif 000027
【図２７】
0004688018.tif 000028
【図２８】
0004688018.tif 000029
【図２９】
0004688018.tif 000030
【図３０】
0004688018.tif 000031
【図３１】
0004688018.tif 000032
【図３２】
0004688018.tif 000033
【図３３】
0004688018.tif 000034
【図３４】
0004688018.tif 000035
【図３５】
0004688018.tif 000036
【図３６】
0004688018.tif 000037
【図３７】
0004688018.tif 000038
【図３８】
0004688018.tif 000039